(57)【特許請求の範囲】
【請求項１】
略水平方向に張り出した固定側天板を有する固定什器と、床面上に移動可能に設けられるとともに前記固定側天板の上面の所定位置で重なる移動側天板を有する移動什器とからなる什器システムであって、
前記固定什器には、前記固定側天板に給電部を配置させた給電装置が設けられ、
前記移動什器には、前記移動側天板が前記固定側天板の前記所定位置に重なった状態で、前記移動側天板の下面側に前記給電部より給電可能な受電部を配置させた受電装置が設けられていることを特徴とする什器システム。
【請求項２】
前記移動什器には、前記固定側天板が進入可能な凹部を有し、
該凹部の上面部が前記移動側天板であることを特徴とする請求項１に記載の什器システム。
【請求項３】
前記移動側天板が前記固定側天板の前記所定位置に重なることで、前記受電部が前記移動側天板の下面に前記給電部に対して間隔をもって対向配置された状態となって非接触給電が行われる構成としたことを特徴とする請求項１又は２に記載の什器システム。
【請求項４】
前記給電部は、前記固定側天板の縁端部に設けられた給電側コネクタであり、
前記受電部は、前記移動側天板が前記固定側天板の前記所定位置に重なった状態で、前記移動側天板の下面に配置されるとともに、前記給電側コネクタに接続する受電側コネクタであり、
前記給電側コネクタと前記受電側コネクタとを接触させることで接触給電が行われる構成としたことを特徴とする請求項１又は２に記載の什器システム。
【請求項５】
前記移動側天板に前記受電部が内蔵されていることを特徴とする請求項１乃至４のいずれか１項に記載の什器システム。
【請求項６】
前記受電装置には、バッテリーを備えていることを特徴とする請求項１乃至５のいずれか１項に記載の什器システム。
【発明の詳細な説明】
【技術分野】
【０００１】
本発明は、固定什器から移動什器へ給電を行う什器システムに関する。
【背景技術】
【０００２】
従来、電子部品等を載置したり収納したりすることができ、かつ移動自在な多目的カートが、病院や介護施設等においてナースカート等として広く利用されており、近年、カルテ等の電子化に伴う情報端末等の電子機器の利用の増加から、バッテリー及び電源コードを配設して、カート上で利用される電子機器への給電を可能とした多目的カートが一般的となってきている。
【０００３】
そして、上記のような電源コードを用いるカートなどの移動什器では、移動什器に後方部およびこれに連通する左右側方部を連続して切り欠いた凹部を設けておき、この凹部内にテーブルなどの固定什器の天板の少なくとも前縁部を収容するように固定什器に対して組み合わせて設置可能としたものが知られている（例えば、特許文献１、２参照）。
これら特許文献１、２の構造では、固定什器に電源取出し口を設けておけば、移動什器を固定什器に組合せて配設しながら、移動什器上にバソコン等の電子機器を載置して使用することができるという利点を有しており、また、その際の使用形態における什器の占有範囲を最小限とすることも可能とされている。
さらに、こうした什器においては、什器に設けられた天板上に載置した電子機器を用いて執務を行う場合が多くみられており、電子機器に対して電源供給が可能な給電装置が設けられているのが望ましい。この場合、什器の給電装置としては、建物の内壁等に設けられた電源コンセントと什器に載置された電子機器とを電源ケーブルで接続して電源を供給する方法が一般的となっている。
【０００４】
ところで、上記のような電源コードを用いるカートとして、建物の床面に設けた給電側のコイルと、移動什器に搭載した受電側のコイルとの間に生じる電磁誘導を利用した非接触給電装置によって、移動什器のバッテリーに対して給電する給電方法が、例えば特許文献３に提案されている。
この方法によれば、床面に給電部を設ける一方、カートに受電部を設け、カートを床面上の給電部に配置することにより、電源ケーブルを介在させずに給電するため、給電作業を簡易に行うことができ、また、床面上を電源コードにより煩雑にすることなく、室内の体裁を良好にすることができるとされている。
【先行技術文献】
【特許文献】
【０００５】
【特許文献１】特開２００８−０１７９２９号公報
【特許文献２】特開２００９−２７９４１４号公報
【特許文献３】特許第４４６９２９０号公報
【発明の概要】
【発明が解決しようとする課題】
【０００６】
しかしながら、従来の給電方法では、以下のような問題があった。
すなわち、上記特許文献１、２の給電方法によれば、電源ケーブルが建物内壁と什器との間に配線されることになるため、複数の什器を並べて使用すると多数の電源ケーブルが床面上に配線されることになり、空間の使い勝手および什器周りの体裁が悪くなってしまう。什器が設置位置を固定して使用されるものであれば、電源ケーブルをケーブルカバー内に収容して被覆する等の対策を行う場合もあるが、移動什器である場合には、その使い勝手の問題から電源ケーブルをケーブルカバー内に収容することができなかった。
【０００７】
また、上記特許文献３の給電方法によれば、執務空間・居住空間の床面上に給電側コイルを設置する必要があると共に、その床面上の給電側コイルに対応する受電側コイルがカートの下方に配置されることになる。そして、カートの天板上で電子機器を載せて使用する場合には、その受電側コイルから天板上へ電源ケーブルを配線する必要があり、カートにおける配線が煩雑になるうえ、見栄えが悪くなるといった問題があり、その点で改良の余地があった。
【０００８】
本発明は、上述する問題点に鑑みてなされたもので、固定什器および移動什器を使用する空間としての使い勝手および体裁を向上させることができる什器システムを提供することを目的とする。
【課題を解決するための手段】
【０００９】
上記目的を達成するため、本発明に係る什器システムでは、略水平方向に張り出した固定側天板を有する固定什器と、床面上に移動可能に設けられるとともに固定側天板の上面の所定位置で重なる移動側天板を有する移動什器とからなる什器システムであって、固定什器には、固定側天板に給電部を配置させた給電装置が設けられ、移動什器には、移動側天板が固定側天板の所定位置に重なった状態で、移動側天板の下面側に給電部より給電可能な受電部を配置させた受電装置が設けられていることを特徴としている。
【００１０】
本発明では、移動什器を移動させて固定什器の所定の給電位置に配置し、移動側天板が略水平方向に張り出した固定側天板の所定位置に重なり、固定側天板の給電部の上方に近接した状態で受電部が配置されることによって、給電部より受電部に給電を行うことができる。
そして、受電部が移動側天板の下面に設けられ、受電部と移動側天板上で使用する電子機器との距離が近接しているので、受電部に接続される電源ケーブルの配線を移動側天板のみに収めて処理することができ、且つ配線距離を短くすることができることから、移動什器の体裁を向上させることができる。
【００１１】
また、本発明に係る什器システムでは、移動什器には、固定側天板が進入可能な凹部を有し、凹部の上面部が移動側天板であることが好ましい。
本発明では、移動什器に固定側天板が進入可能な凹部を有する場合であっても、凹部の上面部の下面に受電部を配置することで、この上面部のみで電源ケーブルの配線を処理することができる。
【００１２】
また、本発明に係る什器システムでは、移動側天板が固定側天板の所定位置に重なることで、受電部が移動側天板の下面に給電部に対して間隔をもって対向配置された状態となって非接触給電が行われる構成であることが好ましい。
本発明では、給電部に受電部が近接して位置するように移動什器を固定什器に対して配置することによって、給電部から移動什器の受電装置に電源を供給する非接触給電を行うことができる。
そして、受電部が移動側天板の下面に設けられ、受電部と移動側天板上で使用する電子機器との距離が近接しているので、受電部に接続される電源ケーブルの配線を移動側天板のみに収めて処理することができ、且つ配線距離を短くすることができることから、移動什器の体裁を向上させることができる。
また、非接触給電とすることで、移動什器の受電部を固定什器の電源取出し口（給電部）に接続する作業を省略することができ、利便性を高めることができる。
【００１３】
また、本発明に係る什器システムでは、給電部は、固定側天板の縁端部に設けられた給電側コネクタであり、受電部は、移動側天板が固定側天板の所定位置に重なった状態で、移動側天板の下面に配置されるとともに、給電側コネクタに接続する受電側コネクタであり、給電側コネクタと受電側コネクタとを接触させることで接触給電が行われる構成であってもよい。
本発明では、固定什器に対する所定の給電位置に移動什器を配置させたとき、固定側天板の給電側コネクタと移動側天板の受電側コネクタとが電気的に接続され、固定什器と移動什器との間で接触給電を行うことができる。
そして、受電側コネクタが移動側天板の下面に設けられ、受電側コネクタと移動側天板上で使用する電子機器との距離が近接しているので、受電側コネクタに接続される電源ケーブルの配線を移動側天板のみに収めて処理することができ、且つ配線距離を短くすることができることから、移動什器の体裁を良好に収めることができる。
【００１４】
また、本発明に係る什器システムでは、移動側天板に受電部が内蔵されていることが好ましい。
本発明では、移動側天板の下面より受電部が突出するのをなくすことができるので、移動什器の体裁を良好に収めることができる。
【００１５】
また、本発明に係る什器システムでは、受電装置には、バッテリーを備えていることが好ましい。
本発明では、固定什器から離れた場所でも移動什器上で電子機器を受電装置のバッテリーに接続して長時間にわたって使用することが可能となり、什器としての使い勝手を良好とすることができる。
【発明の効果】
【００１６】
本発明の什器システムによれば、移動側天板が固定側天板の所定位置に重なった状態で、移動側天板の下面側に設けた受電部が固定側天板の給電部より給電される構成であり、このとき移動側天板上で使用する電子機器と受電部とが近接しているので、両者を繋ぐ配線が短く、且つ移動側天板のみで処理することができる。そのため、固定什器および移動什器を使用する空間としての使い勝手および体裁を向上させることができる効果を奏する。
【図面の簡単な説明】
【００１７】
【図１】本発明の第１の実施の形態による什器システムの一例を示す斜視図である。
【図２】図１に示す什器システムの側断面図である。
【図３】図１に示す什器システムの一部省略した上面図である。
【図４】図１に示す什器システムを前方から見た図である。
【図５】図２に示す給電状態の拡大図である。
【図６】給電装置の構成を示す斜視図である。
【図７】図６に示す給電装置のリミット部の平面図である。
【図８】電源装置の接続構成を模式的に示した図である。
【図９】第２の実施の形態による什器システムを示す側断面図であって、図５に対応する図である。
【発明を実施するための形態】
【００１８】
以下、本発明の実施の形態による什器システムについて、図面に基づいて説明する。
【００１９】
（第１の実施の形態）
図１乃至図５に示すように、本第１の実施の形態による什器システムは、例えば病院や介護施設等のナースステーションに設けられるテーブル１（固定什器）と、テーブル１と組み合せて使用可能であり、そのテーブル１から離れて床面Ｆ上を走行させて使用することが可能なカート２（移動什器）とを備えるとともに、テーブル１の所定位置にカート２を組合せた状態（以下、この位置を「給電位置Ｒ」という）で、テーブル１に具備した給電装置３０からカート２に具備した受電装置４０へ非接触給電を行う電源装置１０を備えている。
ここで、以下の説明では、図２でテーブル１に対してカート２が近接離反する方向となる紙面左右方向を「前後方向Ｘ」とし、また紙面左側（テーブル１に対するカート２側）を「前方」とし、同じく紙面右側を「後方」とする。
【００２０】
テーブル１は、床面Ｆに載置された状態で固定位置に配置され、一対の逆Ｔ字形の脚部１２、１２により下方より支持された前記固定側天板１１を具備し、その固定側天板１１の下方にカート２の一部を収容可能な収容部１３を有している。つまり、図２に示す側面視で、固定側天板１１が脚部１２、１２の上端支持部１２ａから略水平方向に張り出した構成となっている。
【００２１】
固定側天板１１は、平面視で略長方形状をなし、その中央部には電源用開口１１ｃを有し、そこに上面が開いた電源収容ボックス１４が嵌合されている。電源収容ボックス１４は、外部に接続可能なコンセント（図示省略）が収容され、このコンセントから給電装置３０の電源が取れるようになっている。なお、一対の脚部１２、１２は、それぞれ固定側天板１１の対向する短辺側に寄った位置に設けられている。
【００２２】
固定側天板１１の所定位置には、後述する給電側コイル３１を下面側から嵌合させるための円孔１５が厚さ方向に貫通した状態で設けられている。なお、この円孔１５の固定側天板１１における所定位置とは、詳しくは後述するが、カート２がテーブル１に対する所定の給電位置Ｒに位置する状態で、カート２の後述する移動側天板２０（後述する凹部２９の上面部に相当）の下面２０ｂ側の範囲となる。
また、固定側天板１１の下面１１ｂには、給電装置３０取付けられている。この給電装置３０に関しては、カート２に設けられる後述する受電装置４０とともに後述する。
【００２３】
カート２は、床面Ｆ上を走行可能な走行手段であるキャスター２４を備えた架台２１と、架台２１の上に設置されて物品を収容可能な収納部２２と、収納部２２の上方に設けられて上面に情報端末などの電子機器を載置可能な移動側天板２０とを備えて概略構成されている。
【００２４】
収納部２２は、架台２１上の左右側縁に立設した側面視倒立Ｕ字形をなす左右１対の側面枠２３、２３により構成されている。各側面枠２３は、前側に設けられた前部支柱２３１と、後側に設けられた後部支柱２３２と、前部支柱２３１の上端から後側に向けて水平に延び、かつ後部支柱２３２に連結された横桟２３３とにより枠組みされている。
上下方向を向く前部支柱２３１、後部支柱２３２は、カート２の操作時に、障害物等との衝突による収容物の破損を防止する保護部材となる。前後両支柱２３１、２３２間には、複数のワイヤー部材２３４が上下に所望の間隔をもって前後方向に沿って架設されている。 
【００２５】
左右の側面枠２３、２３は、その前側上部間で横桟２３３と略同じ高さに、左右方向に延びる連結板２５により連結されている。
【００２６】
収納部２２内における左右の側面枠２３、２３間には、収容物を収容可能な上下２段のトレイ２６、２６が配設されており、各トレイ２６は、各側面枠２３における前後両支柱２３１、２３２間に架設されたワイヤー部材２３４によって着脱自在に支持されている。
【００２７】
左右の前部支柱２３１、２３１における各々の上部には、収納部２２の上面より上方に離間する位置において、円弧状をなして前側に折曲させることにより、円弧状の折曲部と、前向部とが形成され、この折曲部により、カート操作用のハンドル部２７、２７が、また前向部により、天板支持部２８、２８がそれぞれ形成されている。左右の両天板支持部２８、２８上には、移動側天板２０が載置され、かつ固定されている。
これにより、収納部２２の上部を構成する横桟２３３と、左右の天板支持部２８、２８および移動側天板２０の下面２０ｂとの間には、前側および前後方向に直交する左右方向両側に開口するとともに、後側がハンドル部２７によって閉鎖された凹部２９が形成されている。
【００２８】
凹部２９は、カート２とテーブル１とが近接または当接して前記給電位置Ｒに位置したときに、テーブル１の固定側天板１１が進入するように構成されている。すなわち、高さ方向の位置がテーブル１の固定側天板１１と略等しくなるように形成されているとともに、固定側天板１１が挿入可能な幅となるように天板支持部２８、２８と横桟２３３、２３３との離間寸法が設定されている。また、凹部２９にテーブル１の固定側天板１１が挿入された状態で、カート２の収納部２２がテーブル１の固定側天板１１の下方に潜入し、カート２の移動側天板２０および天板支持部２８、２８がテーブル１の固定側天板１１の上方に位置している。これにより、カート２の移動側天板２０上に、パソコン等を載置したままの状態で、カート２の収納部２２を、テーブル１の固定側天板１１の下方に潜入させて使用することができる。
【００２９】
この連結板２５の上面の所定位置には、上方に向けて突出する凸部５１（図１参照）が設けられている。この凸部５１は、図６に示すように、給電装置３０の後述するスイッチ部３２をオンオフするためのものであり、詳しくは後述する。
また、図２および図５に示すように、連結板２５の上面には、凸部５１よりも前方側で、給電位置Ｒで固定側天板１１の縁端部１１ｄに当接するストッパー５２が連結板２５の上面よりも上方に突出した状態で固定されている。
このストッパー５２は、凹部２９にテーブル１の固定側天板１１が進入したときに、テーブル１の固定側天板１１の縁端部１１ｄと当接してテーブル１の固定側天板１１が進入する奥行きを規制している。
【００３０】
図１乃至図５に示すように、移動側天板２０は、テーブル１に対する給電位置Ｒにおいて、固定側天板１１の上面１１ａに高さ方向の間隔をもった所定位置で重なるようになっている。この移動側天板２０は、上面２０ａにパソコン等の電子機器（図１の符号Ｐ）を載せてカート２の前方側から作業を行うことが可能であり、移動側天板２０に載置した電子機器が後方側に落下しないように後方側外周部２０ｃ（図１）が上方に向けて突出している。
【００３１】
さらに、図２および図５に示すように、移動側天板２０の下面２０ｂには、ボックス形状の受電装置４０（詳しくは後述する）が固定されている。そして、移動側天板２０の所定位置には挿通孔２０ｄが厚さ方向に貫通して設けられており、これにより受電装置４０の出力側のコンセント（図示省略）に接続する電源ケーブル４７が下面２０ｂ側から天板の上方へ向けて挿通されている。
【００３２】
さらに、固定側天板１１の下面１１ｂには、この下面１１ｂから突出しカート２を移動させて凹部２９に固定側天板１１を進入させるときにカート２を案内する一対のカートガイド部材１６、１６（ガイド手段）が設けられている。
カートガイド部材１６、１６は、凹部２９に固定側天板１１が進入したときにカート２の両側方に配設された一対の棒状の部材で、それぞれ延在方向の途中で屈曲している。一対のカートガイド部材１６、１６は、図３に示すように、互いの離間寸法が、前側となる基端１６ａにおいてカート２の左右方向の外幅寸法、すなわち側面枠２３、２３同士の外幅寸法よりも大きいとともに、後側となる先端１６ｃに向かうに従って次第に小さくなり、屈曲点１６ｂにおいてカート２の左右方向の外幅寸法と略等しくなり、基端１６ａから先端１６ｃまで延設されている。
【００３３】
このため、カート２を移動させて凹部２９にテーブル１の固定側天板１１を進入させるときにカート２の位置がずれたとしても、カート２の後部支柱２３２がカートガイド部材１６と当接することによって、カート２が左右方向に正しい位置に案内される。また、カート２をテーブル１側へ向けて所定位置まで移動すると、テーブル１の固定側天板１１の縁端部１１ｄがストッパー５２に当接して移動が規制される。
【００３４】
次に、テーブル１に設けられる給電装置３０と、カート２に設けられる受電装置４０とからなる電源装置１０について、図面に基づいて詳細に説明する。
図２に示すように、電源装置１０は、テーブル１に設けられた給電側コイル３１とカート２に設けられた受電側コイル４１とを近接させ、給電側コイル３１の電流により生じる電磁誘導によって受電側コイル４１に電流を発生させることで非接触給電を行うものである。
【００３５】
図１、図６および図８に示すように、給電装置３０は、周波数変換器３５を備えた給電側コイル３１（給電部）とスイッチ部３２とが薄型箱形状のカバー体３３に収納され、給電側コイル３１には電源ケーブル３４（図１参照）を介してテーブル１の固定側天板１１に設けられているコンセント（図示省略）に接続されている。なお、図１において、周波数変換器３５は前記カバー体３３とは別のカバーに収納されている。
【００３６】
カバー体３３は、上面が開口になっており、固定側天板１１の下面１１ｂの所定位置に固定されている。このカバー体３３には、上述したカート２の凸部５１が進入可能な開口３３ａが設けられている。
【００３７】
給電側コイル３１は、そのコイル給電面３１ａを上向きにした状態で固定側天板１１の上面１１ａに露出するようにして固定側天板１１に設けられている円孔１５に嵌合されている。このとき、コイル給電面３１ａは、固定側天板１１の上面１１ａに対して面一となっている。
【００３８】
図６および図７に示すように、スイッチ部３２は、バネ部材３２１を備えた回転作動板３２２がそのバネ部材３２１の付勢に抗して回転したときに、その回転作動板３２２の作用端３２２ａでスイッチ３２３をオンにする構成となっている。
回転作動板３２２は、カバー体３３の底面３３ｂに直交する方向の回転軸３２２ｃを中心に回転する平面視で略扇形状の回転板３２２Ａを有し、この回転板３２２Ａの周方向の一端（基端３２２ｂ）には回転板３２２Ａの半径方向外側に突出する張出し片３２２Ｂが設けられている。さらに、回転作動板３２２の円弧を形成する外周部には、張出し片３２２Ｂをカバー体３３の開口３３ａの位置、すなわち凸部５１の進入路を塞ぐ位置に配置させた状態で、付勢されたバネ部材３２１が取り付けられている、つまり、回転作動板３２２は、開口３３ａからカバー体３３内に進入する凸部５１によって張出し片３２２Ｂが押圧され、これによりバネ部材３２１の付勢に抗して回転軸３２２ｃを中心にして一方向（図で時計回りと反対方向）に回転し、図６で二点鎖線の位置へ移動する構成となっている。
【００３９】
スイッチ３２３は、レバー式のスイッチであり、レバー部３２３ａが回転作動板３２２の作用端３２２ａの位置によってオンオフの位置を選択的に取り得るものである。つまり、スイッチ３２３は、回転作動板３２２が回転していないときにはオフ状態であり、回転作動板３２２の回転により作用端３２２ａによってレバー部３２３ａが押圧されてオン状態となって給電側コイル３１に電流が流れるようになっている。
【００４０】
次に、受電装置４０は、図５および図８に示すように、整流器４１ｂを備えた受電側コイル４１（受電部）と、受電側コイル４１に電圧変換器４３を介して接続されたバッテリー４２とが移動側天板２０の下面２０ｂに設けられた薄型箱形状のカバー体４４に収納され、バッテリー４２の出力側には移動側天板２０上で使用される電子機器用の電源ケーブル４７が接続されている。
【００４１】
受電側コイル４１は、そのコイル受電面４１ａを下向きにしてカバー体４４の下面４４ａに露出した状態で、カート２がテーブル１に対して給電位置Ｒに位置する状態で、給電側コイル３１のコイル給電面３１ａに間隔をもって対向する位置に配置されている。
【００４２】
図８に示すように、バッテリー４２は、バッテリー本体４２１と、受電側コイル４１より入力される電気を充電制御する充電制御部４２２と、バッテリー本体４２１から出力される電圧を制御する出力制御部４２３とを備えている。
【００４３】
また、カバー体４４の前方側面４４ｂには、非接触給電状態を表示する給電表示部（図示省略）と、バッテリー４２に対する充電状態を表示する充電表示部（図示省略）とを備えた表示板４６が設けられている。前記給電表示部および充電表示部は、発光ダイオード（ＬＥＤ）が使用され、それぞれ電圧変換器４３と充電制御部４２２に接続されて受信した信号に応じて点灯するようになっている。
【００４４】
このように構成される電源装置１０では、給電側コイル３１と受電側コイル４１とを近接させると、給電装置３０においてスイッチ部３２のスイッチ３２３がオンになり、例えば交流１００Ｖの電気が直流電源により直流２４Ｖに変換されて給電側コイル３１に流れる。そして、給電側コイル３１の電流により生じる電磁誘導によって受電側コイル４１に電流が発生して非接触給電が行われる。さらに、受電装置４０において、受電側コイル４１で給電された電圧が電圧変換器４３で直流１７Ｖに変換されてバッテリー本体４２１に充電され、出力時には出力制御部４２３より直流１５Ｖに変換されて電源ケーブル４７を介して出力されることになる。
【００４５】
次に、カート２の受電装置４０に給電を行う動作と上述した什器システムの作用について、図面に基づいて詳細に説明する。
図１乃至図５に示すように、カート２に搭載したバッテリーを充電する場合、すなわち受電装置４０に電気を供給する場合、カート２をテーブル１における所定の給電位置Ｒへ配置する。具体的には、カート２をテーブル１に近接するようにして移動させ、テーブル１の収容部１３に進入させる。このとき、カート２を一対のカートガイド部材１６、１６の間へ進入させることで、カートガイド部材１６、１６に沿ってカート２が所定の給電位置Ｒに案内されることになる。
【００４６】
そして、カート２が給電位置Ｒに配置されたとき、テーブル１の給電装置３０の給電側コイル３１にカート２の受電装置４０の受電側コイル４１が近接するとともに、給電装置３０に電気が流れる。つまり、図６および図７に示すように、カート２が給電位置Ｒに配置される際、カート２の収納部２２上の連結板２５に設けられている凸部５１が給電装置３０のカバー体３３の開口３３ａに進入する。そして、その凸部５１によってスイッチ部３２の張出し片３２２Ｂが押圧され、これにより回転作動板３２２がバネ部材３２１の付勢に抗して回転軸３２２ｃを中心にして一方向（図で時計回りと反対方向）に回転し、回転作動板３２２の回転により作用端３２２ａによってレバー部３２３ａが押圧されてオン状態となって給電側コイル３１に電流が流れる。
【００４７】
次に、給電側コイル３１と受電側コイル４１とが近接しているので、給電側コイル３１に電流が流れると、給電側コイル３１の電流により生じる電磁誘導によって受電側コイル４１に電流が発生して非接触給電が行われる。さらに、受電装置４０において、受電側コイル４１で給電された電圧が電圧変換器４３を介して適宜な電圧に変換されてバッテリー本体４２１に充電され、出力時には出力制御部４２３より直流電圧に変換されてコンセント側に出力され、これによりカート２の受電装置４０に電源を供給する非接触給電が行われる。
このように、非接触給電によりカート２の移動側天板２０上へ配線された電源ケーブル４７から使用する電子機器などの電源を確保することができるうえ、バッテリー４２の充電後には、カート２をテーブル１から離れた場所へ移動させ、その移動側天板２０上で電子機器をバッテリー４２に接続して長時間にわたって使用することができる。
【００４８】
なお、図５に示すように、受電側コイル４１が移動側天板２０の下面２０ｂに設けられ、受電側コイル４１と移動側天板２０上で使用する電子機器（図１ではパソコンＰ）との距離が近接しているので、受電側コイル４１に接続される電源ケーブル４７の配線を移動側天板２０のみに収めて処理することができ、且つ配線距離を短くすることができることから、カート２の体裁を向上させることができる。
また、非接触給電とすることで、カート２の受電側コイル４１をテーブル１の電源取出し口（給電部）に接続する作業を省略することができ、利便性を高めることができる。
【００４９】
上述のように本実施の形態による什器システムでは、移動側天板２０が固定側天板１１の所定位置に重なった状態で、移動側天板２０の下面２０ｂ側に設けた受電側コイル４１が固定側天板１１の給電側コイル３１より給電される構成であり、このとき移動側天板２０上で使用する電子機器と受電側コイル４１とが近接しているので、両者を繋ぐ配線が短く、且つ移動側天板２０のみで処理することができる。そのため、テーブル１およびカート２を使用する空間としての使い勝手および体裁を向上させることができる。
【００５０】
次に、本発明の什器システムによる他の実施の形態について、添付図面に基づいて説明するが、上述の第１の実施の形態と同一又は同様な部材、部分には同一の符号を用いて説明を省略し、第１の実施の形態と異なる構成について説明する。
【００５１】
（第２の実施の形態）
図９に示すように、第２の実施の形態による什器システムは、カート２の移動側天板２０がテーブル１の固定側天板１１の所定位置に重なる給電位置Ｒにおいて、テーブル１に備えた給電装置６０の給電側コネクタ６１（給電部）とカート２に備えた受電装置７０の受電側コネクタ７１（受電部）との間で電気的に接続させて、受電装置７０に電力を供給する接触給電が行われる電源装置１０Ａを有するものである。
受電側コネクタ７１は、給電側コネクタ６１が嵌合される図示しない凹部が形成されていて、この凹部内には前側に突出するピン端子が設けられており、前記凹部を前後方向Ｘで後側に向けた状態で移動側天板２０の下面側に固定されている。
給電側コネクタ６１は、図示しない孔部が形成され、その孔部を前後方向Ｘで前側に向けた状態で固定側天板１１の縁端部１１ｄに固定されており、給電側コネクタ６１と受電側コネクタ７１とが嵌合されると、この孔部に受電側コネクタ７１のピン端子が挿入される。
【００５２】
本第２の実施の形態では、テーブル１に対する給電位置Ｒにカート２を配置させたとき、固定側天板１１の給電側コネクタ６１と移動側天板２０の受電側コネクタ７１とが電気的に接続され、テーブル１とカート２との間で接触給電を行うことができる。
そして、受電側コネクタ７１が移動側天板２０の下面２０ｂに設けられ、受電側コネクタ７１と移動側天板２０上で使用する電子機器との距離が近接しているので、受電側コネクタ７１に接続される電源ケーブル４７の配線を移動側天板２０のみに収めて処理することができ、且つ配線距離を短くすることができることから、カート２の体裁を向上させることができる。
【００５３】
以上、本発明による什器システムの実施の形態について説明したが、本発明は上記の実施の形態に限定されるものではなく、その趣旨を逸脱しない範囲で適宜変更可能である。
例えば、本第１の実施の形態では非接触給電として給電側コイル３１と受電側コイル４１を備えた電磁誘導による電源装置１０としているが、このような非放射型の電磁誘導による送電方式であることに限定されることはなく、例えば非放射型の磁界共鳴方式や、放射型の電磁波（マイクロ波送電）方式を採用することも可能である。
【００５４】
また、テーブル１、カート２の形状、大きさ等の構成、カート２の使用用途、カートガイド部材１６等とくに限定されるものではない。
さらに、電源装置１０、１０Ａ、給電装置３０、６０、受電装置４０、７０の位置についてもテーブル１、カート２の形状等の条件に応じて適宜設定することが可能である。
【符号の説明】
【００５５】
１  テーブル（固定什器）
２  カート（移動什器）
１０、１０Ａ  電源装置
１１  固定側天板
１６  カートガイド部材（ガイド手段）
２０  移動側天板
２２  収納部
２３  側面枠
２５  連結板
２８  天板支持部
２９  凹部
３０、６０  給電装置
３１  給電側コイル（給電部）
３２  スイッチ部（スイッチ機構）
３３  カバー体
４０、７０  受電装置
４１  受電側コイル（受電部）
４２  バッテリー
４４  カバー体
４６  表示板
５１  凸部
５２  ストッパー
６１  給電側コネクタ（給電部）
７１  受電側コネクタ（受電部）  
Ｒ  給電位置
Ｘ  前後方向
【図１】
0005518609.tif 000002
【図２】
0005518609.tif 000003
【図３】
0005518609.tif 000004
【図４】
0005518609.tif 000005
【図５】
0005518609.tif 000006
【図６】
0005518609.tif 000007
【図７】
0005518609.tif 000008
【図８】
0005518609.tif 000009
【図９】
0005518609.tif 000010